(57)【要約】ユーザ情報取得部（１）は、ユーザの居所を表す情報を含むユーザ情報を取得する。適正運動量決定部（３）は、ユーザ情報に基づいて、ユーザの適正運動量を、適正運動量ＤＢ（２）を参照して決定する。催しＤＢ（４）は、催しの生起する日時を表す情報と催しの生起する場所を表す情報と催しの内容を表す情報とを含む催し情報を記憶する。移動距離ＤＢ（５）は、ユーザの居所から催しの生起する場所までの移動距離を表す情報を記憶する。移動計画候補生成部（６）は、催しＤＢ（４）を参照して催し情報を取得し、移動距離ＤＢ（５）から移動距離を表す情報を取得する。そして、催し情報と移動距離を表す情報とに基づいて、予定運動量がユーザの適正運動量から所定の範囲にはいる移動計画候補を生成する。移動計画候補提示部（８）は、移動計画候補をユーザに提示する。
2012053429.tif 000002
【特許請求の範囲】
【請求項１】
ユーザの居所を表す情報と前記ユーザの適正運動量を表す情報とを取得する手段と、
催しの生起する日時を表す情報と前記催しの生起する場所を表す情報と前記催しの内容を表す情報とを含む催し情報を取得する手段と、
前記ユーザの居所から前記催しの生起する場所までの移動距離を表す情報を取得する手段と、
前記催し情報と前記移動距離を表す情報とに基づいて、予定運動量が前記ユーザの適正運動量から所定の範囲にはいる移動計画候補を生成する候補生成手段と、
前記移動計画候補を前記ユーザに提示する提示手段と、
を備えることを特徴とする運動促進システム。
【請求項２】
前記ユーザの適正運動量を表す情報に基づいて、前記移動計画候補のうち所定の基準に適合する移動計画を選択する移動計画選択手段を備え、
前記提示手段は、少なくとも前記移動計画を前記ユーザに提示する、
ことを特徴とする請求項１に記載の運動促進システム。
【請求項３】
催しに関する前記ユーザの嗜好を表す情報を取得する手段を備え、
前記移動計画選択手段は、前記ユーザの適正運動量を表す情報と前記ユーザの嗜好を表す情報とに基づいて、前記移動計画候補のうち所定の基準に適合する移動計画を選択する、
ことを特徴とする請求項２に記載の運動促進システム。
【請求項４】
前記ユーザの移動した実績を表す情報を取得する実績取得手段を備え、
前記候補生成手段は、前記ユーザの適正運動量から前記ユーザの移動した実績を控除した適正運動残量を表す情報と前記催し情報とに基づいて移動計画候補を生成する、
ことを特徴とする請求項１ないし３のいずれか１項に記載の運動促進システム。
【請求項５】
移動を伴う運動計画の候補をユーザに提示する運動促進システムが行う運動促進方法であって、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を備えることを特徴とする運動促進方法。
【請求項６】
前記ユーザの適正運動量を表す情報に基づいて、前記移動計画候補のうち所定の基準に適合する移動計画を選択する移動計画選択ステップを備え、
前記提示ステップでは、少なくとも前記移動計画を前記ユーザに提示する、
ことを特徴とする請求項５に記載の運動促進方法。
【請求項７】
催しに関する前記ユーザの嗜好を表す情報を取得するステップを備え、
前記移動計画選択ステップでは、前記ユーザの適正運動量を表す情報と前記ユーザの嗜好を表す情報とに基づいて、前記移動計画候補のうち所定の基準に適合する移動計画を選択する、
ことを特徴とする請求項６に記載の運動促進方法。
【請求項８】
前記ユーザの移動した実績を表す情報を取得する実績取得ステップを備え、
前記候補生成ステップでは、前記ユーザの適正運動量から前記ユーザの移動した実績を控除した適正運動残量を表す情報と前記催し情報とに基づいて移動計画候補を生成する、
ことを特徴とする請求項５ないし７のいずれか１項に記載の運動促進方法。
【請求項９】
コンピュータに、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を実行させるプログラムを格納するコンピュータ読み取り可能な記録媒体。
【発明の詳細な説明】
【技術分野】
【０００１】
本発明は、ユーザに運動をする動機を与える運動促進システム、運動促進方法および記録媒体に関する。
【背景技術】
【０００２】
健康を維持するためには、継続的に運動することが重要である。しかしながら、個人の健康状態に応じた適切な量の運動でなければ逆効果となることがある。そこで、継続的にユーザに適切な量の運動を促進する技術が提案されている。【０００３】
例えば特許文献１では、運動の目標やその達成度をよりビジュアルにかつ具体的に表示するトレーニング装置が提案されている。特許文献１が開示するトレーニング装置は、トレッドミルなどの走行トレーニング装置であって、ユーザが実地を走行していることを仮想して、地図上の目的地と地図上の当該ユーザが走っている地点とを画面に表示する。このトレーニング装置は、測定されたトレーニング中の被駆動部材の回転数と目標とする回転数との差と、測定されたユーザの脈拍数と目標の脈拍数との差と、をユーザに提示する。【０００４】
特許文献２が開示する運動用補助計器は、ユーザの運動量を計測し、計測された運動量と予め定めた目標値とに基づいて定められる種および形態の仮想生物のイメージ情報を選択して画面に表示する。この運動用補助計器は、運動とは直接関係のない仮想生物の形態変化のイメージを表示することによって、ユーザに運動する動機を与えることを意図して作られたものである。
【先行技術文献】
【特許文献】
【０００５】
【特許文献１】特開平１０−２８６３２８号公報
【特許文献２】特開２００３−１５４１６８号公報
【発明の概要】
【発明が解決しようとする課題】
【０００６】
特許文献１が開示するトレーニング装置では、運動による健康維持以外のメリットが無いため、ユーザは充分な動機を得ることができない。特許文献２が開示する運動用補助計器は、運動とは直接関係のない仮想生物の形態変化のイメージを表示するが、運動量の実績を形を変えて表現しているのであって、運動による健康維持以外のメリットをユーザに与えるというわけではない。しかも、特許文献２が開示する運動用補助計器では、ユーザは日常生活の中で適切な量の運動の実施方法を考えなければならない。運動の実施方法とは、ユーザが、いつ、どこで、どのような運動をするかである。【０００７】
本発明は上述のような事情に鑑みてなされたもので、ユーザに運動の効果そのもの以外の動機付けを与える運動促進システム、運動促進方法および記録媒体を提供することを目的とする。
【課題を解決するための手段】
【０００８】
本発明の第１の観点に係る運動促進システムは、
ユーザの居所を表す情報と前記ユーザの適正運動量を表す情報とを取得する手段と、
催しの生起する日時を表す情報と前記催しの生起する場所を表す情報と前記催しの内容を表す情報とを含む催し情報を取得する手段と、
前記ユーザの居所から前記催しの生起する場所までの移動距離を表す情報を取得する手段と、
前記催し情報と前記移動距離を表す情報とに基づいて、予定運動量が前記ユーザの適正運動量から所定の範囲にはいる移動計画候補を生成する候補生成手段と、
前記移動計画候補を前記ユーザに提示する提示手段と、
を備えることを特徴とする。【０００９】
本発明の第２の観点に係る運動促進方法は、
移動を伴う運動計画の候補をユーザに提示する運動促進システムが行う運動促進方法であって、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を備えることを特徴とする。【００１０】
本発明の第３の観点に係るコンピュータ読み取り可能な記録媒体は、コンピュータに、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を実行させるプログラムを格納する。
【発明の効果】
【００１１】
本発明によれば、適正運動量と催し情報とに基づいて、移動計画候補を生成してユーザに提示するので、ユーザに運動の効果そのもの以外の動機付けを与えることができる。その結果、ユーザは、提示された催しに参加するための移動計画に従うことで、日常生活の中で運動の実施方法を自ら調査して計画することなく、適度な運動を行うことが可能となる。
【図面の簡単な説明】
【００１２】
【図１】本発明の実施の形態１に係る運動促進システムの構成例を示すブロック図である。
【図２】適正運動量情報の例を示す図である。
【図３】催し情報の例を示す図である。
【図４】移動距離情報の例を示す図である。
【図５】実施の形態１に係る移動計画候補提示の動作の一例を示すフローチャートである。
【図６】本発明の実施の形態２に係る運動促進システムの構成例を示すブロック図である。
【図７】最適移動計画表示画面の例を示す図である。
【図８】実施の形態２に係る移動計画提示の動作の一例を示すフローチャートである。
【図９】本発明の実施の形態３に係る運動促進システムの構成例を示すブロック図である。
【図１０】嗜好の分類の例を示す図である。
【図１１】嗜好情報の例を示す図である。
【図１２】催しの分類情報の例を示す図である。
【図１３】実施の形態３に係る嗜好適合移動計画提示の動作の一例を示すフローチャートである。
【図１４】本発明の実施の形態４に係る運動促進システムの構成例を示すブロック図である。
【図１５】実施の形態４に係る実績控除移動計画提示の動作の一例を示すフローチャートである。
【図１６】本発明の実施の形態に係る運動促進システムの物理的な構成例を示すブロック図である。
【発明を実施するための形態】
【００１３】
本発明で催しとは、生起する場所および時間（日時）を特定できる予定された事象をいう。また、催し情報とは、生起する場所および時間（日時）ならびに事象を表す語もしくは記号の情報を含む、催しを特定する情報をいう。例えば、催し情報は、件名、開催場所、開催時間の情報を含む。催し情報の例として、件名は、「野菜特売」であり、開催場所は「○○スーパーマーケット」であり、開催時間は「２０１０年９月２７日午後５時〜２０１０年９月２７日午後７時」というものがある。また、別の催し情報の例として、件名は、「友人訪問」であり、開催場所は「高齢者Ａの自宅」であり、開催時間は「２０１０年９月２７日午後５時〜２０１０年９月２７日午後７時」というものがある。
【００１４】
以下、本発明を実施するための形態について図面を参照して詳細に説明する。なお図中、同一または相当部分には同じ符号を付す。
【００１５】
（実施の形態１）
図１は、本発明の実施の形態１に係る運動促進システムの構成例を示すブロック図である。運動促進システム１０は、ユーザ情報取得部１、適正運動量ＤＢ２、適正運動量決定部３、催しＤＢ４、移動距離ＤＢ５、移動計画候補生成部６および移動計画候補提示部８、を含む。
【００１６】
ユーザ情報取得部１は、ユーザのＩＤまたはユーザのＩＤおよびユーザの健康状態を表す指標などの情報（以下ユーザ情報と呼ぶ）を取得する。ユーザ情報は、ユーザの居所の情報を含む。ユーザの居所は、後述する移動計画を生成する起点になる場所である。居所は自宅であることが多いが、職場または旅行中の滞在場所などであってもよい。
【００１７】
適正運動量ＤＢ２には、あるユーザの適正な運動量および移動能力があらかじめ記憶されている。適正運動量決定部３は、ユーザ情報に応じてどれくらいの量のどのような運動をすべきかといった適正運動量を決定する。適正運動量は、ユーザごとにあらかじめ規定されていてもよいし、年齢および性別で標準の運動量が表で規定されていてもよい。また、標準の運動量からユーザの健康状態の指標で決まる係数を乗じて算出する方法を採ってもよい。
【００１８】
適正運動量は、所定の期間（１日、１週間または１ヶ月など）にユーザに推奨される運動量である。本発明では、適正運動量を特に歩行または自転車による移動距離で表す。移動距離の単位は長さ（ｍ）で表す場合のほか、歩数で表してもよい。適正運動量は、ローラスケート、スケートボードまたはキックスケートなどの器具を用いて自力で移動する場合の移動距離等を含んでもよい。また、適正運動量は、電動アシスト自転車を用いる移動による移動距離等を含んでもよい。適正運動量は、徒歩または用いる器具ごとの移動距離で表すことができる。自転車または器具を用いる移動距離は、それぞれの換算率で歩行の移動距離から換算してもよい。
【００１９】
図２は、適正運動量情報の例を示す。図２では、ユーザごとに、適正運動量が徒歩での移動量ならびに自転車での移動量として記憶されていることを示す。
【００２０】
図１の催しＤＢ４には、催しの件名、開催場所、開催時間といった情報（以下「催し情報」と呼ぶ）があらかじめ記憶されている。催し情報はあらかじめ人手で入力されてもよいし、ＷＥＢから自動的に収集されてもよい。運動促進システム１０は、例えば、催しを開催する機関のホームページのＵＲＬ（Universal Resource Locator）を記憶しておいて、定期的にそのホームページを巡回閲覧して、催し情報を収集するエージェントを備えてもよい。
【００２１】
図３は、催し情報の例を示す。図３では、催し情報に、開催日、開始時刻、終了時刻、催し内容、開催場所および分類コードを示す情報が含まれることが示されている。開催日は１日とは限らず、複数の日または期間で設定されてもよい。開催場所は、理解を容易にするために「集会所」、「○○スーパーマーケット」のように記載しているが、経緯度または住居表示でもよい。
【００２２】
なお、催し情報は、開催場所がユーザの居所から徒歩または自転車で移動できる範囲に限らない。交通機関を利用して最寄りの駅から開催場所まで歩くような開催場所の催し情報を含めてもよい。
【００２３】
分類コードは、後述する嗜好情報と合致する度合を計算するためのものである。本実施の形態では用いないので、分類コードはなくてもよい。催し情報をどのようなデータ構成にするかは任意であって、図３に示す構成に限られない。
【００２４】
図１の移動距離ＤＢ５には、ユーザの居所から催しの開催場所までの間の移動距離、または開催場所間の移動距離を示す情報（以下移動距離情報と呼ぶ）があらかじめ記憶されている。ここで移動距離とは、ユーザの移動する経路に沿った道のりである。なお、ユーザが催しの開催場所まで移動する途中で交通機関を利用する場合は、居所から乗車駅までならびに降車駅から開催場所までの徒歩などの移動距離を示す情報を移動距離情報とする。
【００２５】
図４は、移動距離情報の例を示す。図４は、自宅から、集会所、○○スーパーマーケット、ならびに、Ｐ３までの移動距離がそれぞれ移動距離情報として記憶されることを示している。また、図４は、集会所から○○スーパーマーケットまでの距離も移動距離情報として記憶されることを示している。
【００２６】
移動計画候補生成部６は、催し情報および移動距離情報を基に、ユーザの居所および催しの開催場所を移動する総移動距離および順番といった移動計画候補を生成する。あるユーザについてある日の移動計画候補を生成する場合、移動計画候補生成部６は、そのユーザの１日の適正運動量（移動距離）を適正運動量ＤＢ２から取得する。また、移動計画候補生成部６は、催しＤＢ４からその日に開催される催し情報を検索する。移動計画候補生成部６は、検索された催し情報の開催場所までの移動距離を移動距離ＤＢ５から取得する。そして、移動計画候補生成部６は、移動距離の合計が適正運動量から所定の範囲にはいる催し情報の組合せを生成する。さらに、移動計画候補生成部６は、催し情報の組合せの中で、催しの開始時刻と終了時刻から、催しに参加できる順序に並べ替える。
【００２７】
移動計画候補生成部６は、移動距離の合計を算出するときに、催しごとに居所と開催場所を往復する場合だけでなく、１つの催しの開催場所から次の催しの開催場所に居所を経由せずに移動する場合も含めて移動距離の合計を算出する。
【００２８】
催し情報の組合せを生成する移動距離の合計の所定の範囲は、適宜に決めてよい。例えば、当該所定の範囲は、適正運動量の０．９倍から１．５倍まで、または、適正運動量からその２倍まで、のように、適正運動量に係数を乗じて決めることができる。あるいは、当該所定の範囲は、適正運動量−αから適正運動量＋β、または適正運動量以上で上限なし、のように一定の幅にしてもよい。さらに、当該所定の範囲は、直近の運動量の実績が少ない場合は大きく、実績が多い場合は小さくするなど、範囲を変動させてもよい。
【００２９】
移動計画候補生成部６は、生成した移動計画候補を移動計画候補提示部８に送る。移動計画候補は、例えば候補ごとに、移動する順序に並べた催し情報と移動距離の組および総移動距離を示す情報を含む。
【００３０】
移動計画候補提示部８は、移動計画候補を画面に表示し、および／または、音声で読み上げる。画面に表示する場合は、移動計画候補提示部８は、候補ごとにリストを文字列で表示することができる。あるいは、移動計画候補提示部８は、地図を表示して、それに重畳して開催場所の位置に催し情報を示す枠と、ハイライトした経路などを表示してもよい。移動計画候補提示部８は、すべての候補を一覧で表示してもよいし、候補ごとに順番に表示してもよい。移動計画候補提示部８が候補を表示する順序は問わないが、例えば、標準的には、移動計画候補提示部８は、候補の総移動距離と適正運動量との差が小さいものから順に表示することができる。
【００３１】
図５は、実施の形態１に係る移動計画候補提示の動作の一例を示すフローチャートである。ユーザ情報取得部１は、ユーザＩＤを格納し、健康情報を収集できるセンサなどを通して、ユーザのＩＤまたはユーザのＩＤおよびユーザの健康状態といった情報をユーザから取得する（ステップＳ１０）。ユーザ情報取得部１は、取得したユーザ情報を適正運動量決定部３に出力する。
【００３２】
適正運動量決定部３は、あるユーザの適正な運動量および移動能力を適正運動量ＤＢ２から取得する（ステップＳ１１）。適正運動量決定部３は、入力されたユーザ情報に対応するユーザの適正な運動量および移動能力を、移動計画候補生成部６に出力する。
【００３３】
移動計画候補生成部６は、催しの件名、開催場所、開催時間といった催し情報を、催しＤＢ４から取得する（ステップＳ１２）。移動計画候補生成部６は、ユーザの自宅および催しの開催場所の間の距離といった移動距離情報を、移動距離ＤＢ５から取得する（ステップＳ１３）。移動計画候補生成部６は、入力される催し情報および移動距離情報を基に、ユーザの自宅および催しの開催場所を移動する総移動距離および順番といった移動計画候補を生成し、移動計画候補提示部８に出力する（ステップＳ１４）。移動計画候補提示部８は、移動計画候補を、ディスプレイ表示およびスピーカー出力などにより、ユーザに提示する（ステップＳ１５）。
【００３４】
以上説明したように本実施の形態１の運動促進システム１０によれば、適正運動量と催し情報とに基づいて、移動計画候補を生成してユーザに提示するので、ユーザに運動の効果そのもの以外の動機付けを与えることができる。その結果、ユーザは提示された催しに参加するための移動計画に従うことで、日常生活の中で運動の実施方法を自ら調査して計画する必要がなく、適度な運動を行うことが可能となる。
【００３５】
（実施の形態２）
図６は、本発明の実施の形態２に係る運動促進システムの構成例を示すブロック図である。実施の形態２に係る運動促進システム１０は、移動計画候補のうち所定の基準に適合する移動計画を選択して表示する。実施の形態２に係る運動促進システム１０は、実施の形態１の構成に加えて、移動計画候補生成部６と移動計画候補提示部８の間に移動計画選択部７を備える。その他の構成は、実施の形態１と同様である。
【００３６】
移動計画選択部７は、適正運動量および移動計画候補を基に、移動計画候補のうち所定の基準に適合する移動計画を選択し、移動計画候補提示部８へ出力する。移動計画候補提示部８は、移動計画をユーザに提示する。移動計画とともに移動計画候補を表示してもよい。その場合、移動計画はその他の移動計画候補と区別できるように表示することが望ましい。
【００３７】
移動計画を選択する所定の基準は、例えば、移動計画候補の総移動距離と適正運動量の差の絶対値が最小という条件とすることができる。または、当該所定の基準は、適正運動量以上の最小の総移動距離の移動計画候補という条件でもよい。あるいは、当該所定の基準は、総移動距離から適正運動量を引いた差が、正の場合はその数値、負の場合は差に係数を掛けて、それらの絶対値が最小という条件としてもよい。一般的には、総移動距離と適正運動量の差の所定関数の値が最小という条件とすることができる。
【００３８】
以下、具体的な例を用いて説明する。例えば、ユーザはある高齢者であり、運動促進システム１０は、午前８時、ある一日の催しに参加するための移動計画を高齢者に提示することを想定する。高齢者は、午前８時、ユーザＩＤを格納した歩数計からFeliCa（登録商標）ポート経由でユーザ情報をユーザ情報取得部１に入力する。ユーザ情報取得部１は、取得した「ユーザＩＤは高齢者Ａである」というユーザ情報を適正運動量決定部３に出力する。
【００３９】
適正運動量ＤＢ２には、高齢者Ａの適度な運動量および移動能力として、例えば１日の適正運動量は８０００歩であり平均歩幅は１ｍであるという情報が蓄えられている。この情報は、トレーナーや医者などの識者によってあらかじめ適正運動量ＤＢ２に入力されている。適正運動量決定部３は、高齢者Ａの１日の適正な運動量および歩幅を適正運動量ＤＢ２から取得し、移動計画候補生成部６に出力する。
【００４０】
催しＤＢ４には、その日の催し情報として、２件の催し（催しＡと催しＢ）の件名、開催場所、開催時間の情報が記憶されているとする。例えば、催しＡの件名は、「町内会」であり、開催場所は「集会所」であり、開催時間は「本日午後４時〜午後６時」である。催しＢの件名は、「野菜特売」であり、開催場所は「スーパー」であり、開催時間は「午後５時〜午後７時」である。移動計画候補生成部６は、催しＡと催しＢの件名、開催場所、開催時間といったあらかじめ蓄えられた情報を催しＤＢ４から取得する。
【００４１】
移動距離ＤＢ５には、高齢者Ａの自宅、催しＡの開催場所および催しＢの開催場所の間の距離が蓄えられている。高齢者Ａの自宅から集会所までの距離は「３．５km」、高齢者Ａの自宅からスーパーまでの距離は「２km」、集会所からスーパーまでの距離は「３km」とする。
【００４２】
移動計画候補生成部６は、ユーザの自宅および催しの開催場所の間の距離といったあらかじめ蓄えられた情報を移動距離ＤＢ５から取得する。移動計画候補生成部６は、入力される催しＡと催しＢの催し情報および移動距離情報を基に、ユーザの自宅および催しの開催場所を移動する総移動距離および順番といった５つの移動計画候補を次のルールで作成し、移動計画選択部７に出力する。
【００４３】
本システムは、移動計画候補を作成するために、まず、催しＡと催しＢの２つの催しの内、どれを勧めるかを決定する。すなわち、本システムは、どれも勧めない、催しＡを勧める、催しＢを勧める、催しＡと催しＢの両方を勧める、の４種類中から選ぶ。本システムは、催しＡと催しＢの両方を勧める場合には、催しの開催時間によって、どちらを先に勧めるかを決定する。さらに、催しＡと催しＢの両方を勧める場合には、催しＡに参加した後、一度自宅に戻った後、催しＢに参加する移動計画と、催しＡに参加した後、自宅に戻らず直接催しＢに参加する移動計画がある。このようなルールにより、５つの移動計画候補は以下となる。
【００４４】
候補０の総移動距離は「０km」であり、外出しない。候補１の総移動距離は「７km」であり、自宅、集会所、自宅の順番に移動する。候補２の総移動距離は「４km」であり、自宅、スーパー、自宅の順番に移動する。候補３の総移動距離は「１１km」であり、自宅、集会所、自宅、スーパー、自宅の順番に移動する。候補４の総移動距離「８．５km」であり、自宅、集会所、スーパー、自宅の順番に移動する。移動計画候補を生成する基準が、例えば、適正運動量（＝８０００歩）−１０００歩から適正運動量＋３０００歩の範囲とすると、移動計画候補生成部６は、候補１、候補３、候補４を移動計画候補として生成する。
【００４５】
ここで、移動計画を選択する基準が、例えば、適正運動量と総移動距離の差が最も小さいという条件であるとする。移動計画選択部７は、適正運動量および移動計画候補を基に、適正運動量と総移動距離の差が「０．５km」と最も小さい候補４を４つの移動計画候補の中から選択し、移動計画候補提示部８へ出力する。移動計画候補提示部８は、ディスプレイ表示およびスピーカー出力などを通して、催しに参加するための移動計画および催しの情報を高齢者Ａに対して提示する。
【００４６】
図７は、移動計画候補提示部８が、ディスプレイに「午後４時〜午後６時に開催される町内会に出席するため、集会所へ行きましょう。その後、午後５時〜午後７時に開催される野菜特売に参加するため、○○スーパーマーケットへ行きましょう。」といった文を表示し、同様の文をロボットエージェントによる発話としてスピーカーから音声出力する様子を示す。
【００４７】
図８は、実施の形態２に係る移動計画提示の動作の一例を示すフローチャートである。ユーザ情報取得（ステップＳ２０）から移動計画候補生成（ステップＳ２４）までは、図５のステップＳ１０からステップＳ１４までと同様である。移動計画候補生成部６は、生成した移動計画候補を移動計画選択部７に出力する。
【００４８】
前述のとおり、移動計画選択部７は、移動計画候補のうち所定の基準に適合する移動計画を選択し、移動計画候補提示部８に出力する（ステップＳ２５）。移動計画候補提示部８は、前述のように移動計画をユーザに提示する（ステップＳ２６）。
【００４９】
以上説明したように本実施の形態２の運動促進システム１０によれば、移動計画候補のうち所定の基準に適合する移動計画を選択して提示するので、実施の形態１の効果に加えて、ユーザは比較検討する必要がなく、適度な運動を行うことが可能となる。
【００５０】
（実施の形態３）
図９は、本発明の実施の形態３に係る運動促進システムの構成例を示すブロック図である。実施の形態３に係る運動促進システムは、ユーザの選択する傾向（嗜好）を表す情報を考慮して、移動計画候補から移動計画を選択して表示する。実施の形態３に係る運動促進システム１０は、実施の形態２の構成に加えて、嗜好ＤＢ９を備える。その他の構成要素については実施の形態２と同様である。
【００５１】
嗜好ＤＢ９は、ユーザが活動を選択する傾向（嗜好）を表す情報（以下、嗜好情報という）を記憶する。嗜好情報は、ユーザが例えばアンケート形式の質問に回答する形で運動促進システムに入力することができる。また、運動促進システムは、ユーザの活動の履歴からユーザの嗜好を抽出してもよい。活動の履歴は、例えば、ユーザのスケジュール、ブログ、ＧＰＳ（Global Positioning System）を備える行動モニタなどから取得できる。
【００５２】
図１０は、嗜好の分類の例を示す。嗜好の分類は図１０に限られず、別の観点で分類してもよいし、さらに細かく分類してもよい。嗜好の分類は、ユーザの嗜好と催しの特性を比較するために、両者で同じ分類を用いることが望ましい。
【００５３】
図１１は、嗜好情報の例を示す。嗜好情報は例えば、ユーザの選択する傾向（嗜好）を分類ごとの点数で表すことができる。分類ごとの点数は、１（有り）または０（無し）でもよいし、合計点を正規化して（正規化しなくてもよい）分類に配分した点数でもよい。例えば、点数の合計が１００になるように、各分類に点数を配分してもよい。また、各分類の点数の最大値を１００として、分類ごとのユーザの選択傾向を０から１００の数で表してもよい。嗜好情報は、一人のユーザについて分類相互の比較ができればよい。ユーザどうしで比較するわけではないので、合計点数は正規化しなくてよい。
【００５４】
実施の形態３では、催し情報にその催しが関係している分類の情報（以下、分類情報という）が含まれる。図１２は、催しの分類情報の例を示す。催しの分類情報は、図３のように、催しごとに分類コードが記憶されるのでもよい。催しの分類情報は、嗜好情報と同じ分類で、催しが属する分類を表す。催しの分類は、分類ごとの点数で表すことができる。点数は１（有り）または０（無し）でもよいし、合計点を正規化して分類に配分した点数でもよい。１つの催しの分類情報が複数の分類に０でない点数を有する場合があり得る。催しの予算額など、催しの規模を示す指標に合計点を比例させるのでもよい。分類情報は、催しどうしで比較できるように、規格化することが望ましい。
【００５５】
分類情報については、催し情報の件名のキーワードを抽出して、予め設定されたキーワードの組と分類情報との関係から、その催しの分類情報を生成することができる。また、催しの主催者が催し情報に分類情報を設定する方法を採用してもよい。
【００５６】
移動計画選択部７は、ユーザの嗜好情報を嗜好ＤＢ９から、それぞれの催しに関する分類情報を催しＤＢ４から取得する。移動計画選択部７は、適正運動量、移動計画候補、ユーザの嗜好情報および催しの分類情報を基に、移動計画候補のうち所定の基準に適合する移動計画を選択する。例えば、移動計画選択部７は、適正運動量と移動計画候補の総移動距離の差、および、移動計画候補の催しの分類情報とユーザの嗜好情報との合致の度合い（適合度）を算出し、移動距離の差および嗜好の合致の度合いを基に移動計画を移動計画候補の中から選択する。
【００５７】
嗜好情報と催しの分類情報の適合度は、例えば、嗜好情報と分類情報の分類ごとの点数の積の合計で表すことができる。移動計画を選択する基準は、例えば、適正運動量と移動計画候補の移動距離の差の逆数（または基準の数の補数）と、適合度の線形和が、移動計画候補のうち最大のものを選択するという条件とすることができる。あるいは、移動計画候補のうち、適合度が最大のものを移動計画とすることも考えられる。移動計画を選択する基準は適宜に定めることができる。
【００５８】
移動計画選択部７は、移動計画候補の中から所定の基準で選択した移動計画を、移動計画候補提示部８へ出力する。
【００５９】
以下、具体的な例を挙げて説明する。例えば、ユーザはある高齢者であり、運動促進システム１０は、午前８時、ある一日の催しに参加するための高齢者の嗜好に合致した移動計画を高齢者に提示することを想定する。本実施の形態３でも、適正運動量決定部３、移動距離ＤＢ５、移動計画候補生成部６は、実施の形態１と同様の処理を行う。
【００６０】
ユーザ情報取得部１は、取得した「ユーザＩＤは高齢者Ａである」というユーザ情報を適正運動量決定部３および移動計画選択部７に出力する。適正運動量ＤＢ２には、高齢者Ａの適度な運動量および移動能力として、１日の適正運動量は５０００歩であり平均歩幅は１mであるという情報が蓄えられている。
【００６１】
嗜好ＤＢ９には、高齢者Ａの嗜好情報として「仲間と集まったり、おしゃべりをしたりすること」および「歌、踊り」であるという情報が記憶されている。催しＤＢ４には、２件の催し（催しＡと催しＢ）の件名、開催場所、開催時間、および分類情報が記憶されているものとする。例えば、催しＡの件名は「町内会」であり、開催場所は「集会所」であり、開催時間は「本日午後４時〜午後６時」であり、分類情報は「分類ＩＤ：ｃ５(図１０参照)」である。催しＢの件名は「野菜特売」であり、開催場所は「○○スーパーマーケット」であり、開催時間は「午後５時〜午後７時」であり、分類情報は「分類ＩＤ：ｃ８(図１０参照)」である。
【００６２】
自宅から開催場所および開催場所間の移動距離が実施の形態２の例と同じとして、移動計画候補生成部６は、実施の形態２の例に挙げたのと同様に、例えば、３つの移動計画候補（候補１、候補２、候補４）を生成する。ここでは、移動計画候補の移動距離の範囲を、例えばユーザの適正運動量−１０００歩から適正運動量の２倍までとしている。
【００６３】
ここで、移動計画を選択する基準が、例えば、適合度が最大の候補のうち適正運動量と総移動距離の差が最も小さいという条件であるとする。移動計画選択部７は、適正運動量、移動計画候補、嗜好情報を基に、適合度が最大の移動候補に限定する。その中から、適正運動量と総移動距離の差が小さい移動計画を選択する。
【００６４】
まず、移動計画選択部７は、高齢者Ａの嗜好に合致した適合度の大きいものを３つの移動計画候補の中から選択すると、候補１が含む催しＡの分類情報と高齢者Ａの嗜好情報は合致しており、候補２が含む催しＢの分類情報と高齢者Ａの嗜好情報は合致していないため、候補１と候補４に限定できる。移動計画選択部７は、その中から、適正運動量と総移動距離の差が「２km」と最も少ない移動計画の候補１を選択して移動計画とする。
【００６５】
図１３は、実施の形態３に係る嗜好適合移動計画提示の動作の一例を示すフローチャートである。ユーザ情報入力（ステップＳ３０）から移動計画候補生成（ステップＳ３４）までは、図５のステップＳ１０からステップＳ１４までと同様である。移動計画候補生成部６は、生成した移動計画候補を移動計画選択部７に出力する。
【００６６】
前述のとおり、移動計画選択部７は、嗜好情報を嗜好ＤＢ９から入力する（ステップＳ３５）。ついで、移動計画候補に含まれる催しの分類情報を催しＤＢ４から入力する（ステップＳ３６）。そして、催しの分類情報とユーザの嗜好情報の適合度を算出する（ステップＳ３７）。
【００６７】
移動計画選択部７は、適正運動量と移動距離情報、および、嗜好情報と分類情報の適合度に基づいて、移動計画候補のうち所定の基準に適合する移動計画を選択し、移動計画候補提示部８に出力する（ステップＳ３８）。移動計画候補提示部８は、移動計画をユーザに提示する（ステップＳ３９）。
【００６８】
以上説明したように本実施の形態３の運動促進システム１０によれば、適正運動量と移動距離情報、および、嗜好情報と分類情報の適合度に基づいて、移動計画候補のうち所定の基準に適合する移動計画を選択して提示する。その結果、ユーザは自身の嗜好に合致した移動計画を提示されるため、ユーザがこの提示を受け入れる可能性が高まり、より効果的にユーザの運動を促進できる。
【００６９】
（実施の形態４）
図１４は、本発明の実施の形態４に係る運動促進システムの構成例を示すブロック図である。実施の形態４に係る運動促進システムは、ユーザの適正運動量を計数する期間における移動距離の実績を適正運動量から控除した適正運動残量に合わせて、移動計画候補を生成し移動計画を選択する。実施の形態４に係る運動促進システム１０は、実施の形態２の構成に加えて、移動実績取得部１１を備える。
【００７０】
移動実績取得部１１は、ユーザの適正運動量を計数する期間における移動距離の実績を取得する。例えば、移動実績取得部１１は、ユーザが運動促進システム１０にログインしたときに、ユーザの保持する歩数計からその日のそれまでの歩数を入力する。入力する方法としては、例えば歩数計からFeliCa（登録商標）ポート、Bluetooth（登録商標）またはＵＳＢ（Universal Serial Bus）などを経由してユーザ情報取得部１に入力する方法がある。あるいは、ユーザが、歩数計の数値を、キーボードなどを用いて入力する方法でもよい。自転車または器具を用いる移動距離は、それぞれの換算率で歩行の移動距離に換算されてもよい。
【００７１】
適正運動量を計数する期間は、ユーザに推奨される運動量を規定する所定の期間である。例えば、適正運動量が１日あたりの移動距離（歩数）で規定される場合は１日である。計数する期間は、適正運動量の所定の期間と同じである。適正運動量は、異なる期間で決められている場合があり得る。例えば、１日あたりの移動距離と、１週間または１ヶ月の移動距離が規定されることがある。その場合、移動実績取得部１１は、例えば１日あたりの実績を累積して、１週間または１ヶ月の初めからの移動距離実績を算出する。また、移動計画候補生成部６は、１日あたりの移動距離と、１週間または１ヶ月の移動距離の両方の観点から移動計画候補を生成してもよい。
【００７２】
移動実績取得部１１は、ユーザ情報取得部１で入力したユーザ情報から、ユーザの移動距離の実績を移動計画候補生成部６に送る。移動計画候補生成部６は、実施の形態１と同様に、催し情報と移動距離情報を取得する。移動計画候補生成部６は、適正運動量から移動距離の実績を差し引いた適正運動残量を算出し、移動距離が適正運動残量から所定の範囲にはいる移動計画候補を生成する。
【００７３】
以下、例を挙げて説明する。例えば、ユーザは高齢者であり、運動促進システム１０は、ある一日の催しに参加するための移動計画を、午前８時と午後２時に高齢者に提示することを想定する。
【００７４】
ユーザは、午前８時または午後２時に運動促進システム１０にログインすると仮定する。ユーザはログインしたときに、ユーザＩＤを格納した歩数計とある一日の現在時刻の歩数をFeliCaポート経由でユーザ情報取得部１に入力する。ユーザ情報取得部１は、取得した「ユーザＩＤは高齢者Ａである」というユーザ情報と次のようなある一日の現在時刻までの歩数を適正運動量決定部３に出力する。以下の例では、午前８時にログインした場合は、本日のそれまでの歩数は２０００歩であり、午後２時の場合は、本日のそれまでの歩数は７０００歩であるとする。
【００７５】
適正運動量ＤＢ２には、高齢者Ａの適度な運動量および移動能力として、１日の適正運動量は1００００歩であり平均歩幅は１ｍであるという情報が記憶されている。適正運動量決定部３は、高齢者Ａの１日の適正な運動量および歩幅を適正運動量ＤＢ２から取得し、ある一日の現在時刻以降の適正な歩数を移動計画選択部７に出力する。ある一日の現在時刻以降の適正な歩数は、午前８時にログインした場合は、本日中にあと８０００歩歩くであり、午後２時の場合は、本日中にあと３０００歩歩くである。
【００７６】
移動計画候補生成部６は、その日のログインした時刻以降に生起する催しの催し情報を検索し、移動距離が適正運動残量から所定の範囲にはいる移動計画候補を生成する。午前８時の場合は、移動計画候補生成部６は、例えば、実施の形態２の例の候補１、候補３および候補４を移動計画候補とする。午後２時の場合は、移動計画候補生成部６は、例えば、候補０、候補１および候補２を移動計画候補とする。移動計画候補生成部６は、移動計画候補とともに適正運動残量の情報を移動計画選択部７に送る。
【００７７】
移動計画選択部７は、適正運動残量および移動計画候補を基に、午前８時の場合は、適正運動残量と総移動距離の差が「０．５km」と最も少ない移動計画の候補４を選択する。また、午後２時の場合は、適正運動量と総移動距離の差が「１km」と最も少ない移動計画の候補２を選択する。移動計画候補提示部８は、ディスプレイ表示およびスピーカー出力などを通して、催しに参加するための移動計画および催しの情報を高齢者Ａに対して提示する。
【００７８】
午前８時の場合は、移動計画候補提示部８は、移動計画の候補４を高齢者Ａに提示するため、ディスプレイに「午後４時〜午後６時に開催される町内会に出席するため集会所へ行きましょう。その後、 午後５時〜午後７時に開催される野菜特売に参加するためスーパーへ行きましょう。」といった文を表示し、同様の文をロボットエージェントによる発話としてスピーカーから音声出力する。午後２時の場合は、移動計画候補提示部８は、移動計画の候補２を高齢者Ａに提示するため、ディスプレイに「午後５時〜午後７時に開催される野菜特売(催しＢ)に参加するためスーパーへ行きましょう。」といった文を表示し、同様の文をロボットエージェントによる発話としてスピーカーから音声出力する。
【００７９】
図１５は、実施の形態４に係る実績控除移動計画提示の動作の一例を示すフローチャートである。ユーザ情報取得部１は、実施の形態１のステップＳ１０に加えて、例えばその日のそれまでのユーザの移動距離を取得し（ステップＳ４０）、ユーザ情報を適正運動量決定部３に出力する。移動実績取得部１１は、ユーザ情報から移動実績を取得して、移動計画候補生成部６に送る（ステップＳ４１）。
【００８０】
適正運動量決定部３は、ユーザの適正な運動量および移動能力を適正運動量ＤＢ２から取得する（ステップＳ４２）。適正運動量決定部３は、入力されたユーザ情報に対応するユーザの適正な運動量および移動能力を、移動計画候補生成部６に出力する。
【００８１】
移動計画候補生成部６は、適正運動量から移動実績を差し引いて適正運動残量を算出する（ステップＳ４３）。移動計画候補生成部６は、催し情報を催しＤＢ４から取得する（ステップＳ４４）。移動計画候補生成部６は、ユーザの自宅および催しの開催場所の間の距離といった移動距離情報を移動距離ＤＢ５から取得する（ステップＳ４５）。移動計画候補生成部６は、催し情報および移動距離情報に基づいて、移動距離が適正運動残量から所定の範囲にはいる移動計画候補を生成し（ステップＳ４６）、移動計画選択部７に送る。
【００８２】
移動計画選択部７は、適正運動残量に基づいて、移動計画候補のうち所定の基準に適合する移動計画を選択し、移動計画候補提示部８に出力する（ステップＳ４７）。移動計画候補提示部８は、移動計画をディスプレイ表示およびスピーカー出力などを通して、ユーザに提示する（ステップＳ４８）。
【００８３】
以上説明したように、本実施の形態４に係る運動促進システム１０によれば、本実施例の効果として、ユーザが何時に運動促進システム１０とのインタラクションを開始しても、ユーザのそれまでの移動距離を適正運動量から控除した適正運動残量に応じて、移動計画を提示できる。その結果、ユーザはいつでも、それまでの運動実績に応じた適切な移動計画を知ることができる。
【００８４】
本発明の実施の形態は上述の構成に限られない。例えば、実施の形態３と実施の形態４を組み合わせることができる。移動計画候補生成部６は、移動計画候補を生成するときに、異なる移動手段を組み合わせてもよい。例えば、実施の形態２の例で、「町内会」へは自転車で往復し、「スーパーマーケット」へは徒歩で往復する、という組合せも生成するよう構成してもよい。また、その他の要因、例えば、天気予報を参照して降雨確率や気温予想を考慮して移動計画を選択するように移動計画選択部７を構成することも可能である。
【００８５】
また、実施の形態３では、移動計画選択部７が、嗜好情報に基づいて、移動計画候補から移動候補を選択する例を示した。この他、実施の形態１において、移動計画候補生成部６が、嗜好情報に基づいて、移動計画候補を生成してもよい。この場合、例えば、ユーザの嗜好に適合しない移動計画が移動計画候補に含まれないようにすることができる。このため、ユーザは、自分の嗜好に適合しない移動計画があらかじめ除外された移動計画候補から最適な移動計画を選択することができる。
【００８６】
また、実施の形態４では、運動量の実績を適正運動量から控除した適正運動残量に合わせて、移動計画候補を生成する例を示した。この他、本発明において、催しに参加することで消費されることが予想される運動量（以下「予想運動量」とする。）を、適正運動量から控除した適正運動残量に合わせて、移動計画候補を生成してもよい。この場合、例えば、実施の形態４において、催し情報に予想運動量を表す情報が含まれ、運動量の実績の代わりに予想運動量を用いて移動計画候補が生成される。
【００８７】
図１６は、本発明の実施の形態に係る運動促進システムの物理的な構成例を示すブロック図である。
【００８８】
運動促進システム１０は、図１６に示すように、制御部２１、主記憶部２２、外部記憶部２３、操作部２４、表示部２５および送受信部２６を備える。主記憶部２２、外部記憶部２３、操作部２４、表示部２５および送受信部２６はいずれも内部バス２０を介して制御部２１に接続されている。
【００８９】
制御部２１はＣＰＵ（Central Processing Unit）等から構成され、外部記憶部２３に記憶されている制御プログラム２９に従って、移動計画候補提示のための処理を実行する。
【００９０】
主記憶部２２はＲＡＭ（Random-Access Memory）等から構成され、外部記憶部２３に記憶されている制御プログラム２９をロードし、制御部２１の作業領域として用いられる。
【００９１】
外部記憶部２３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、上述の処理を制御部２１に行わせるための制御プログラム２９を予め記憶し、また、制御部２１の指示に従って、この制御プログラム２９が記憶するデータを制御部２１に供給し、制御部２１から供給されたデータを記憶する。
【００９２】
操作部２４はキーボードおよびマウスなどのポインティングデバイス等と、キーボードおよびポインティングデバイス等を内部バス２０に接続するインタフェース装置から構成されている。操作部２４を介して、ユーザの情報、適正運動量、嗜好情報、催し情報、移動距離情報または各種の判定条件などが入力され、制御部２１に供給される。
【００９３】
表示部２５は、ＣＲＴ（Cathode Ray Tube）もしくはＬＣＤ（Liquid Crystal Display）、および／またはスピーカなどから構成され、移動計画候補または移動計画を表示する。そのほか、ユーザ情報、催し情報、嗜好情報、分類情報、移動距離情報などを表示する。
【００９４】
送受信部２６は、無線送受信機、無線モデムまたは網終端装置、およびそれらと接続するシリアルインタフェースまたはＬＡＮ（Local Area Network）インタフェースから構成されている。送受信部２６を介して、ユーザ情報を入力し、催し情報をネットワーク経由で収集する。また、移動距離情報を算出するために、地図データをネットワーク経由で取得してもよい。
【００９５】
運動促進システム１０のユーザ情報取得部１、適正運動量ＤＢ２、適正運動量決定部３、催しＤＢ４、移動距離ＤＢ５、移動計画候補生成部６、移動計画選択部７、移動計画候補提示部８、嗜好ＤＢ９および移動実績取得部１１などの処理は、制御プログラム２９が、制御部２１、主記憶部２２、外部記憶部２３、操作部２４、表示部２５および送受信部２６などを資源として用いて処理することによって実行する。
【００９６】
その他、前記のハードウエア構成やフローチャートは一例であり、任意に変更および修正が可能である。
【００９７】
制御部２１、主記憶部２２、外部記憶部２３、操作部２４、内部バス２０などから構成される制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する運動促進システム１０を構成してもよい。また、インターネット等の通信ネットワーク上のサーバ装置が有する記憶装置に当該コンピュータプログラムを格納しておき、通常のコンピュータシステムがダウンロード等することで運動促進システム１０を構成してもよい。
【００９８】
また、運動促進システム１０の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００９９】
また、搬送波にコンピュータプログラムを重畳し、通信ネットワークを介して配信することも可能である。たとえば、通信ネットワーク上の掲示板(BBS：Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【０１００】
上記の実施形態の一部または全部は、以下の付記のようにも記載されうるが、以下には限られない。
【０１０１】
（付記１）
ユーザの居所を表す情報と前記ユーザの適正運動量を表す情報とを取得する手段と、
催しの生起する日時を表す情報と前記催しの生起する場所を表す情報と前記催しの内容を表す情報とを含む催し情報を取得する手段と、
前記ユーザの居所から前記催しの生起する場所までの移動距離を表す情報を取得する手段と、
前記催し情報と前記移動距離を表す情報とに基づいて、予定運動量が前記ユーザの適正運動量から所定の範囲にはいる移動計画候補を生成する候補生成手段と、
前記移動計画候補を前記ユーザに提示する提示手段と、
を備えることを特徴とする運動促進システム。
【０１０２】
（付記２）
前記ユーザの適正運動量を表す情報に基づいて、前記移動計画候補のうち所定の基準に適合する移動計画を選択する移動計画選択手段を備え、
前記提示手段は、少なくとも前記移動計画を前記ユーザに提示する、
ことを特徴とする付記１に記載の運動促進システム。
【０１０３】
（付記３）
催しに関する前記ユーザの嗜好を表す情報を取得する手段を備え、
前記移動計画選択手段は、前記ユーザの適正運動量を表す情報と前記ユーザの嗜好を表す情報とに基づいて、前記移動計画候補のうち所定の基準に適合する移動計画を選択する、
ことを特徴とする付記２に記載の運動促進システム。
【０１０４】
（付記４）
前記ユーザの移動した実績を表す情報を取得する実績取得手段を備え、
前記候補生成手段は、前記ユーザの適正運動量から前記ユーザの移動した実績を控除した適正運動残量を表す情報と前記催し情報とに基づいて移動計画候補を生成する、
ことを特徴とする付記１ないし３のいずれか１つに記載の運動促進システム。
【０１０５】
（付記５）
移動を伴う運動計画の候補をユーザに提示する運動促進システムが行う運動促進方法であって、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を備えることを特徴とする運動促進方法。
【０１０６】
（付記６）
前記ユーザの適正運動量を表す情報に基づいて、前記移動計画候補のうち所定の基準に適合する移動計画を選択する移動計画選択ステップを備え、
前記提示ステップでは、少なくとも前記移動計画を前記ユーザに提示する、
ことを特徴とする付記５に記載の運動促進方法。
【０１０７】
（付記７）
催しに関する前記ユーザの嗜好を表す情報を取得するステップを備え、
前記移動計画選択ステップでは、前記ユーザの適正運動量を表す情報と前記ユーザの嗜好を表す情報とに基づいて、前記移動計画候補のうち所定の基準に適合する移動計画を選択する、
ことを特徴とする付記６に記載の運動促進方法。
【０１０８】
（付記８）
前記ユーザの移動した実績を表す情報を取得する実績取得ステップを備え、
前記候補生成ステップでは、前記ユーザの適正運動量から前記ユーザの移動した実績を控除した適正運動残量を表す情報と前記催し情報とに基づいて移動計画候補を生成する、
ことを特徴とする付記５ないし７のいずれか１つに記載の運動促進方法。
【０１０９】
（付記９）
コンピュータに、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を実行させるプログラムを格納するコンピュータ読み取り可能な記録媒体。
【０１１０】
本発明は２０１０年１０月２１日に出願された日本国特許出願２０１０−２３６８１８号に基づく。本明細書中に日本国特許出願２０１０−２３６８１８号の明細書、特許請求の範囲、図面全体を参照として取り込むものとする。
【産業上の利用可能性】
【０１１１】
本発明によれば、ユーザは提示された催しに参加するための移動計画に従うことで、適度な運動を行うことが可能となる運動促進システムといった用途に適用できる。
【符号の説明】
【０１１２】
１  ユーザ情報取得部
２  適正運動量ＤＢ
３  適正運動量決定部
４  催しＤＢ
５  移動距離ＤＢ
６  移動計画候補生成部
７  移動計画選択部
８  移動計画候補提示部
９  嗜好ＤＢ
１０  運動促進システム
１１  移動実績取得部
２０  内部バス
２１  制御部
２２  主記憶部
２３  外部記憶部
２４  操作部
２５  表示部
２６  送受信部
２９  制御プログラム
【図１】
2012053429.tif 000003
【図２】
2012053429.tif 000004
【図３】
2012053429.tif 000005
【図４】
2012053429.tif 000006
【図５】
2012053429.tif 000007
【図６】
2012053429.tif 000008
【図７】
2012053429.tif 000009
【図８】
2012053429.tif 000010
【図９】
2012053429.tif 000011
【図１０】
2012053429.tif 000012
【図１１】
2012053429.tif 000013
【図１２】
2012053429.tif 000014
【図１３】
2012053429.tif 000015
【図１４】
2012053429.tif 000016
【図１５】
2012053429.tif 000017
【図１６】
2012053429.tif 000018
【手続補正書】
【提出日】平成25年2月18日(2013.2.18)
【手続補正２】
【補正対象書類名】明細書
【補正対象項目名】０００１
【補正方法】変更
【補正の内容】
【０００１】
本発明は、ユーザに運動をする動機を与える運動促進システム、運動促進方法およびプログラムに関する。
【手続補正３】
【補正対象書類名】明細書
【補正対象項目名】０００７
【補正方法】変更
【補正の内容】
【０００７】
本発明は上述のような事情に鑑みてなされたもので、ユーザに運動の効果そのもの以外の動機付けを与える運動促進システム、運動促進方法およびプログラムを提供することを目的とする。
【手続補正４】
【補正対象書類名】明細書
【補正対象項目名】００１０
【補正方法】変更
【補正の内容】
【００１０】
本発明の第３の観点に係るプログラムは、
コンピュータに、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を実行させることを特徴とする。
【手続補正５】
【補正対象書類名】特許請求の範囲
【補正対象項目名】全文
【補正方法】変更
【補正の内容】
【特許請求の範囲】
【請求項１】
ユーザの居所を表す情報と前記ユーザの適正運動量を表す情報とを取得する手段と、
催しの生起する日時を表す情報と前記催しの生起する場所を表す情報と前記催しの内容を表す情報とを含む催し情報を取得する手段と、
前記ユーザの居所から前記催しの生起する場所までの移動距離を表す情報を取得する手段と、
前記催し情報と前記移動距離を表す情報とに基づいて、予定運動量が前記ユーザの適正運動量から所定の範囲にはいる移動計画候補を生成する候補生成手段と、
前記移動計画候補を前記ユーザに提示する提示手段と、
を備えることを特徴とする運動促進システム。
【請求項２】
前記ユーザの適正運動量を表す情報に基づいて、前記移動計画候補のうち所定の基準に適合する移動計画を選択する移動計画選択手段を備え、
前記提示手段は、少なくとも前記移動計画を前記ユーザに提示する、
ことを特徴とする請求項１に記載の運動促進システム。
【請求項３】
催しに関する前記ユーザの嗜好を表す情報を取得する手段を備え、
前記移動計画選択手段は、前記ユーザの適正運動量を表す情報と前記ユーザの嗜好を表す情報とに基づいて、前記移動計画候補のうち所定の基準に適合する移動計画を選択する、
ことを特徴とする請求項２に記載の運動促進システム。
【請求項４】
前記ユーザの移動した実績を表す情報を取得する実績取得手段を備え、
前記候補生成手段は、前記ユーザの適正運動量から前記ユーザの移動した実績を控除した適正運動残量を表す情報と前記催し情報とに基づいて移動計画候補を生成する、
ことを特徴とする請求項１ないし３のいずれか１項に記載の運動促進システム。
【請求項５】
移動を伴う運動計画の候補をユーザに提示する運動促進システムが行う運動促進方法であって、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を備えることを特徴とする運動促進方法。
【請求項６】
前記ユーザの適正運動量を表す情報に基づいて、前記移動計画候補のうち所定の基準に適合する移動計画を選択する移動計画選択ステップを備え、
前記提示ステップでは、少なくとも前記移動計画を前記ユーザに提示する、
ことを特徴とする請求項５に記載の運動促進方法。
【請求項７】
催しに関する前記ユーザの嗜好を表す情報を取得するステップを備え、
前記移動計画選択ステップでは、前記ユーザの適正運動量を表す情報と前記ユーザの嗜好を表す情報とに基づいて、前記移動計画候補のうち所定の基準に適合する移動計画を選択する、
ことを特徴とする請求項６に記載の運動促進方法。
【請求項８】
前記ユーザの移動した実績を表す情報を取得する実績取得ステップを備え、
前記候補生成ステップでは、前記ユーザの適正運動量から前記ユーザの移動した実績を控除した適正運動残量を表す情報と前記催し情報とに基づいて移動計画候補を生成する、
ことを特徴とする請求項５ないし７のいずれか１項に記載の運動促進方法。
【請求項９】
コンピュータに、
ユーザの居所を表す情報と前記ユーザの適正運動量を表す情報とを取得するステップと、
催しの生起する日時を表す情報と前記催しの生起する場所を表す情報と前記催しの内容を表す情報とを含む催し情報を取得するステップと、
前記ユーザの居所から前記催しの生起する場所までの移動距離を表す情報を取得するステップと、
前記催し情報と前記移動距離を表す情報とに基づいて、予定運動量が前記ユーザの適正運動量から所定の範囲にはいる移動計画候補を生成する候補生成ステップと、
前記移動計画候補を前記ユーザに提示する提示ステップと、
を実行させるプログラム。
【国際調査報告】
2012053429.tif 000019
2012053429.tif 000020
2012053429.tif 000021
2012053429.tif 000022